(57)【特許請求の範囲】
【請求項１】
低電圧を供給するための電源と、
前記電源の電圧を昇圧するための昇圧素子と、
前記昇圧素子から昇圧電圧を発生させるための昇圧回路と、
前記昇圧回路に昇圧を指示する信号を発生するための昇圧信号発生回路と、
前記昇圧回路から得られた昇圧電圧を整流するための整流回路と、
前記整流回路によって整流された昇圧電圧を充放電することにより発光する発光素子と、
前記発光素子に充電された電荷を放電させるための放電回路と、
前記放電回路に放電の指示する信号を発生するための放電信号発生回路と、
前記昇圧信号発生回路への昇圧信号の周波数とデューティ比を与える昇圧信号指示値と前記放電信号発生回路への放電信号の周波数とデューティ比を与える放電信号指示値と前記昇圧信号指示値及び前記放電信号指示値を出力する時間を与える出力時間値とを含む駆動設定値と、前記駆動設定値を時系列的に複数記憶した駆動パターンデータと、前記駆動パターンデータを複数記憶した駆動パターン複数記憶回路と、
前記駆動パターン複数記憶回路に記憶された前記複数の駆動パターンから、外部より与えられた駆動パターン指定信号によって選択された１つの前記駆動パターンについて複数の前記駆動設定値を時系列的に読み出した出力時間値の時間内に前記昇圧信号発生回路と前記放電信号発生回路にそれぞれ昇圧信号指示値、放電信号指示値を与える駆動パターン読出回路と、
前記昇圧信号発生回路、前記放電信号発生回路及び前記駆動パターン読出回路へ動作の基準となるクロック信号を与える発振回路と、
照明点灯を指示する駆動指示信号により前記発振回路を動作させ、前記駆動パターン読出回路の動作を指示する信号を出力する制御回路とを有する照明装置。
【請求項２】
前記発光素子が、エレクトロルミネッセンス素子である請求項１記載の照明装置。
【発明の詳細な説明】
【０００１】
【発明の属する技術分野】
本発明は、低電圧電源を動力源とする照明装置及びその駆動方法に関する。
【０００２】
【従来の技術】
従来の照明装置について、発光素子がエレクトロルミネッセンス素子（以下、「ＥＬ」という。）である照明装置を図面に基づいて説明する。
図５は、従来のＥＬを用いた照明装置における機能ブロック図である。また、図６は、従来のＥＬを用いた照明装置におけるタイミングチャートである。
【０００３】
従来の照明装置は、電源５０１の電圧を昇圧するための昇圧素子５０２と、昇圧素子５０２から昇圧電圧を発生させるための昇圧回路５０３と、昇圧回路５０３を制御するための昇圧信号発生回路５０７と、昇圧回路５０３から得られた昇圧電圧を整流するための整流回路５０４と、整流回路５０４によって整流された昇圧電圧を充放電することにより発光するＥＬ５０５と、ＥＬ５０５に充電された電荷を放電させるための放電回路５０６と、放電回路５０６を制御するための放電信号発生回路５０９と、昇圧信号発生回路５０７、放電信号発生回路５０９へ動作の基準となるクロック信号を与える発振回路５０８と、照明装置の点灯スイッチ等による駆動指示信号５１１ａにより発振回路５０８を動作させる制御回路５１１と、によって構成される。
【０００４】
従来の照明装置は、点灯スイッチ等により駆動指示信号５１１ａを発生し保持すると、駆動指示信号５１１ａにより制御回路５１１は発振回路５０８を起動させて昇圧信号発生回路５０７に昇圧基準信号５０８ａを、放電信号発生回路５０９に放電基準信号５０８ｂをそれぞれ出力する。昇圧信号発生回路５０７は、発振回路５０８からの昇圧基準信号５０８ａにより昇圧クロック信号５０７ａを発生させて、昇圧回路５０３に供給する。昇圧回路５０３は、電源５０１に接続された昇圧素子５０２を昇圧クロック信号５０７ａにより、高電圧パルス５０３ａを発生させる。
【０００５】
高電圧パルス５０３ａを整流回路５０４で整流を行い発光素子であるＥＬ５０５に充電を行う。放電信号発生回路５０９は、発振回路５０８からの放電基本信号５０８ｂを用いて、昇圧クロック信号５０７ａより長い周期でＥＬ５０５に充電された電圧を放電するための放電クロック信号５０９ａを発生する。
【０００６】
放電クロック信号５０９ａにより放電回路５０６は前記ＥＬ５０５に充電された電圧を放電する。以上に述べた充放電により、ＥＬ５０５が発光する。
【０００７】
【発明が解決しようとする課題】
従来の照明装置では、発光面積の大きさで発光輝度が大きく変化することから、個々の照明装置毎に昇圧コイルのインダクタンスや抵抗値の定数変更を行うことや駆動電圧を上げるため昇圧クロック信号及び放電クロック信号の周波数を変更が必要となる。そのため、その周波数の元となる発振回路の周波数を変更するには、、発振回路を構成する水晶振動子、抵抗、コンデンサ等の特性値を調整しなければならない、という問題点があった。この調整は、特にＥＬでは顕著である。
【０００８】
また、点灯時間を制御するためには、スイッチ切換により状態を保持するか、または外部から点灯を指示する信号を加え続けるなければならない、という問題点もあった。
【０００９】
更に、照明として表示内容に注目を引くために、時系列的に輝度を上下することや駆動周波数を変化させて発光色調を変化させることは、いくつかの回路定数をもつ駆動回路を準備し切り換えなければならない、という問題点があった。。
【００１０】
【課題を解決するための手段】
本発明は、低電圧を供給するための電源と、前記電源の電圧を昇圧するための昇圧素子と、前記昇圧素子から昇圧電圧を発生させるための昇圧回路と、前記昇圧回路に圧電を指示する信号を発生するための昇圧信号発生回路と、前記昇圧回路から得られた昇圧電圧を整流するための整流回路と、前記整流回路によって整流された昇圧電圧を充放電することにより発光する発光素子と、前記発光素子に充電された電荷を放電させるための放電回路と、前記放電回路に放電を指示する信号を発生するための放電信号発生回路と、前記昇圧信号発生回路への昇圧信号の周波数とデューティ比を与える昇圧信号指示値と前記放電信号発生回路への放電信号の周波数とデューティ比を与える放電信号指示値と前記昇圧信号指示値及び前記放電信号指示値を出力する時間を与える出力時間値とを含む駆動設定値と、前記駆動設定値を時系列的に複数記憶した駆動パターンデータと、前記駆動パターンデータを複数記憶した駆動パターン複数記憶回路と、前記駆動パターン複数記憶回路に記憶された前記複数の駆動パターンから、外部より与えられた駆動パターン指定信号によって選択された１つの前記駆動パターンについて複数の前記駆動設定値を時系列的に読み出した出力時間値の時間内に前記昇圧信号発生回路と前記放電信号発生回路にそれぞれ昇圧信号指示値、放電信号指示値を与える駆動パターン読出回路と、前記昇圧信号発生回路、前記放電信号発生回路及び前記駆動パターン読出回路へ動作の基準となるクロック信号を与える発振回路と、照明点灯を指示する駆動指示信号により前記発振回路を動作させ、前記駆動パターン読出回路の動作を指示する信号を出力する制御回路とを有する照明装置である。
【００１１】
また本発明は、前記照明装置における発光素子がエレクトロルミネッセンス素子である照明装置である。
【００１２】
さらに本発明は、照明点灯を指示する駆動指示信号が入力されると複数の駆動パターンから１つの駆動パターンを選択する選択工程と、前記選択工程で選択した前記１つの駆動パターンから複数の駆動信号を抽出する抽出工程と、前記抽出工程で抽出された前記複数の駆動信号から１つの駆動信号を時系列的に選択して出力する出力工程と、を有する照明装置の駆動方法である。
【００１３】
【発明の実施の形態】
実施例について図面に基づいて説明する。
【００１４】
図１は、本発明による照明装置の動作を示した機能ブロック図である。低電圧を供給するための電源１０１と、電源の電圧を昇圧するための昇圧素子１０２と、昇圧素子から昇圧電圧を発生させるための昇圧回路１０３と、昇圧回路１０３を制御するための昇圧信号発生回路１０７と、昇圧回路１０３から得られた昇圧電圧を整流するための整流回路１０４と、整流回路１０４によって整流された昇圧電圧を充放電することにより発光する発光素子１０５と、発光素子１０５に充電された電荷を放電させるための放電回路１０６と、放電回路１０６を制御するための放電信号発生回路１０９と、昇圧信号発生回路１０７への昇圧信号の周波数とデューティ比を与える昇圧信号指示値と放電信号発生回路１０９への放電信号の周波数とデューティ比を与える放電信号指示値と昇圧信号指示値及び放電信号指示値を出力する時間を与える出力時間値とを含む駆動設定値と、駆動設定値を時系列的に複数記憶した駆動パターンデータと、駆動パターンデータを複数記憶した駆動パターン複数記憶回路１１２と、駆動パターン複数記憶回路１１２に記憶された複数の駆動パターンデータから、外部より与えられた駆動パターン指定信号によって選択された１つの駆動パターンデータについて複数の駆動設定値を時系列的に読み出し、読み出した出力時間値の時間内に昇圧信号発生回路１０７と放電信号発生回路１０９にそれぞれ昇圧信号指示値、放電信号指示値を与える駆動パターン読出回路１１０と、昇圧信号発生回路１０７へ昇圧信号発生の基準信号となる昇圧基準信号、放電信号発生回路１０９へ放電信号発生の基準信号となる放電基準信号及び駆動パターン読出回路１１０の動作の読出回路基本クロック信号を供給する発振回路１０８と、照明点灯を指示する駆動指示信号を与えられると発振回路１０８を動作させ、駆動パターン読出回路１１０の動作を指示する信号を出力する制御回路１１１から構成される。
【００１５】
制御回路１１１に対して点灯スイッチ等により駆動指示信号１１１ａが与えられると、発振指示信号１１１ｂを発振回路１０８に出力して発振動作させる。また、駆動パターン読出回路動作指示信号１１１ｃを駆動パターン読出回路１１０に出力して、駆動パターン読出回路１１０を動作させる。
発振回路１０８は、昇圧信号発生回路１０７へ昇圧信号発生の基準信号となる昇圧基準信号１０８ａ、放電信号発生回路１０９へ放電信号発生の基準信号となる放電基準信号１０８ｂ及び駆動パターン読出回路１１０の動作の読出回路基準クロック信号１０８ｃを供給する。
【００１６】
昇圧基準信号１０８ａ、放電基準信号１０８ｂ及び読出回路基準クロック信号１０８ｃは、必ずしも別々の信号でなくてもよく、１つの信号であってもよい。
なお、本実施例では１つの信号の場合について説明する。
【００１７】
駆動パターン読出回路１１０は、外部より指定された駆動パターン指定信号１１０ａを取り込み、アドレス信号１１０ｂにデコードする。アドレス信号１１０ｂにより、駆動パターン複数記憶回路１１２に複数記憶されている駆動パターンのうちから、１つの駆動パターンの先頭の駆動設定値を指定する。駆動パターン読出回路１１０は、駆動パターン複数記憶回路１１２からアドレス信号１１０ｂをインクリメントする。そして、駆動パターンとして記憶されている複数の駆動設定値１１２ａを順序に読み出す。順序に読み出された駆動設定値１１２ａは、昇圧信号指示値１１０ｃ、放電信号指示値１１０ｄおよびこれらの出力する出力時間値から構成されている。また、昇圧信号指示値１１０ｃ及び放電信号指示値１１０ｄは、それぞれ昇圧信号１０７ａと放電信号１０９ａの周波数及びデューティ比を与える。
【００１８】
駆動パターン読出回路１１０は読み出された出力時間値の間、読出基準クロック信号１０８ｃを用いてカウントダウンを行い、昇圧信号指示値１１０ｃ、放電信号指示値１１０ｄをそれぞれ昇圧信号発生回路１０７と放電信号発生回路１０９に出力し続ける。
【００１９】
昇圧信号発生回路１０７は、昇圧信号指示値１１０ｃに基づいた昇圧信号を昇圧基準信号１０８ａから発生させて昇圧回路１０３に出力する。昇圧回路１０３は電源１０１に接続された昇圧素子１０２を昇圧クロック信号１０７ａにより高電圧パルス１０３ａを発生させる。高電圧パルス１０３ａを整流回路１０４で整流することで、発光素子１０５に充電を行う。
【００２０】
放電信号発生回路１０９は、放電基準信号１０８ｂから放電クロック信号１０９ａを発生させて、放電回路１０６に出力する。放電クロック信号１０９ａにより放電回路１０６は発光素子１０５に充電された電圧を放電する。
以上に述べた発光素子１０５への充放電により発光する。
【００２１】
また、駆動パターン読出回路１１０は、駆動パターン複数記憶回路１１２から読み出した駆動設定値１１２ａが駆動終了データであったとき、駆動終了信号１１０ｅを制御回路１１１に出力する。制御回路１１１は駆動終了信号１１０ｅが入力されると、発振指示信号１１１ｂの出力を停止させる。これにより、発振回路１０８は発振動作を停止する。
【００２２】
発振回路１０８の発振動作の停止により昇圧基準信号１０８ａ、放電基準信号１０８ｂ及び読出回路基準クロック信号１０８ｃが停止する。昇圧基準信号１０８ａ、放電基準信号１０８ｂ及び読出回路基準クロック信号１０８ｃの停止により、昇圧信号発生回路１０７、放電信号発生回路１０９及び駆動パターン読出回路１１０の動作が停止する。昇圧信号発生回路１０７、放電信号発生回路１０９の停止により昇圧回路１０３、放電回路１０６の動作が停止し、発光素子１０５の充放電動作が停止する。
図２に、駆動パターン複数記憶回路１１２の記憶内容を示す。
【００２３】
駆動パターン複数記憶回路１１２は、各アドレス毎に昇圧信号発生回路１０７へ与えられる昇圧信号指示値１１０ｃの昇圧信号の周波数（昇圧周波数）ｆｕｐとデューティ比（昇圧デューティ）Ｄｕｐ、放電信号発生回路１０９へ与えられる放電信号指示値１１０ｄとしての放電信号の周波数（放電周波数）ｆｄとデューティ比（放電デューティ）Ｄｄ及びこれらの指示値を駆動パターン読出回路１１０が出力する時間を与える出力時間値ｔを記憶している。
【００２４】
１つの駆動設定値は昇圧周波数ｆｕｐ、昇圧デューティＤｕｐ、放電周波数ｆｄ、放電デューティＤｄ及び出力時間値ｔから構成される。また、１つの駆動パターンは、複数の前記駆動設定値から構成される。
【００２５】
例えば、前記駆動パターンの最後の駆動設定値の駆動時間値が０となっている。これは、データの終わりを示している。
【００２６】
本実施例においては、アドレスＡＤ１からＡＤｎまでが駆動パターン１、アドレスＡＤｎ＋１からＡＤｎ＋ｋまでが駆動パターン２、以降駆動パターンが続き、アドレスＡＤｍからＡＤｚまでが駆動パターンＮとなっており、全部でＮ個の駆動パターンを持っている。
【００２７】
駆動パターン１ではアドレスＡＤ１に１番目の駆動設定値として、昇圧周波数ｆｕｐ１、昇圧デューティＤｕｐ１、放電周波数ｆｄ１、放電デューティＤｄ１及び出力時間値ｔ１が記憶されている。次のアドレスＡＤ２には、２番目の駆動設定値として、昇圧周波数ｆｕｐ２、昇圧デューティＤｕｐ２、放電周波数ｆｄ２、放電デューティＤ２及び出力時間値ｔ２が記憶される。アドレスＡＤ３以降も同様に記憶されており、アドレスＡＤｎにｎ番目の駆動設定値として昇圧周波数ｆｕｐｎ、昇圧デューティＤｕｐｎ、放電周波数ｆｄｎ、放電デューティＤ２及び出力時間値ｔｎ＝０が記憶されている。
【００２８】
駆動パターン２から駆動パターンＮまでも、任意の駆動設定値の数で昇圧周波数ｆｕｐ、昇圧デューティＤｕｐ、放電周波数ｆｄ、放電デューティＤ２及び出力時間値ｔが記憶されている。
【００２９】
尚、昇圧信号指示値１１０ｃと放電信号指示値１１０ｄは必ずしも周波数とデューティ比そのものではなくて、周波数とデューティ比に比例する値でもよい。
また、周波数に反比例する値で構成されてもよい。
【００３０】
図３に、駆動パターン読出回路１１０の動作フローチャートを示す。駆動パターン読出回路１１０は、外部より指定された駆動パターン指定信号１１０ａを取り込むと、駆動パターン複数記憶回路１１２に記憶されている駆動パターンのアドレスにデコードする。そして、アドレス信号１１０ｂを駆動パターン複数記憶回路１１２に出力する（ステップ３０１）。駆動パターン１を指定するときは、駆動パターン指定信号１１０ａに「１」を入力する。これにより、駆動パターン読出回路１１０は、駆動パターン指定信号１１０ａの入力「１」からアドレス値「ＡＤ１」をデコードし、駆動パターン複数記憶回路１１２に出力する。
【００３１】
次に、駆動パターン読出回路１１０は、駆動パターン複数記憶回路１１２より駆動設定値として前記昇圧信号指示値、前記放電信号指示値及び出力時間値を読み出す（ステップ３０２）。駆動パターン１の場合、駆動パターン読出回路１１０からのアドレス信号１１０ｂのアドレス値「ＡＤ１」の出力により、駆動パターン読出回路１１０は駆動パターン複数記憶回路１１２のアドレスＡＤ１から、前記昇圧信号指示値として昇圧周波数ｆｕｐ１、昇圧デューティＤｕｐ１と、前記放電信号指示値として放電周波数ｆｄ１、放電デューティＤd1及び出力時間値ｔ１を読み出す。
【００３２】
その次に、読み出した駆動設定値が終了データか判断する（ステップ３０３）。読み出された駆動設定値の中の出力時間値が終了データであるか否かを判断する。このとき、例えば、終了デーを「０」すると、「０」と等しいか判断する。
【００３３】
終了データでない場合は、読み出した駆動設定値から昇圧信号指示値１１０ｃ及び放電信号指示値１１０ｄを、それぞれ昇圧信号発生回路１０７と放電信号発生回路１０９に出力する（ステップ３０４）。駆動パターン１の場合、昇圧指定値１１０ｃとして昇圧周波数ｆｕｐ１と昇圧デューティＤｕｐ１が昇圧信号発生回路１０７へ、放電信号指示値１１０ｄとして放電周波数ｆｄ１と放電デューティＤｄ１が放電信号発生回路１０９にそれぞれ出力される。
【００３４】
駆動パターン読出回路１１０は、昇圧信号指示値１１０ｃ及び放電信号指示値１１０ｄをそれぞれ昇圧信号発生回路１０７と放電信号発生回路１０９へ出力後、読出回路基本クロック信号１０８ｃを基準に、駆動設定値の出力時間値のカウントダウンを行う（ステップ３０５）。駆動パターン１の場合、アドレスＡＤ１から読み出された駆動設定値の中の駆動時間値ｔ１を、読出回路基本クロック信号１０８ｃを基準にカウントダウンする。
【００３５】
駆動パターン読出回路１１０は、出力時間値のカウントダウン終了を待つ（ステップ３０６）。終了したらアドレスをインクリメントし、次の駆動設定値の読み出しに戻る（ステップ３０７）。
【００３６】
駆動パターン１の場合、アドレスＡＤ１から読み出された駆動設定値の中の駆動時間値ｔ１がカウントダウンされたら、駆動パターン読出回路１１０はアドレス値「ＡＤ１」をインクリメントし、アドレス値を「ＡＤ２」とする。以降駆動パターン１では、アドレス値「ＡＤｎ−１」まで同上の動作を繰り返す。
【００３７】
終了データの場合（ステップ３０３）は、駆動終了信号１１０ｅを制御回路１１１に出力する（ステップ３０８）。
【００３８】
駆動パターン１の場合、駆動パターン複数記憶回路１１２のアドレスＡＤｎの駆動設定値における駆動時間値ｔｎが「０」となっているため、駆動パターン読出回路１１０は制御回路１１１に駆動終了信号１１０ｅを出力する。制御回路１１１は駆動終了信号１１０ｅを受けると、発振回路１０８に対して発振指示信号１１１ｂの出力を停止させる。発振回路１０８は発振指示信号１１１ｂの出力が停止すると、昇圧基準信号１０８ａ、放電基準信号１０８ｂ及び読出回路基準クロック信号１０８ｃが停止する。昇圧信号基準信号１０８ａ、放電信号基準信号１０８ｂ及び読出回路基準クロック信号１０８ｃが停止することにより、昇圧信号発生回路１０７、放電信号発生回路１０９及び駆動パターン読出回路１１０の動作が停止する。昇圧信号発生回路１０７、放電信号発生回路１０９の停止すると、昇圧回路１０３、放電回路１０６の動作が停止するので、発光素子１０５の駆動動作が停止する。
【００３９】
図４に、本発明のタイミングチャートを示す。
【００４０】
制御回路１１１に対して、点灯スイッチ等により駆動指示信号１１１ａが与えられる。駆動指示信号１１１ａは必ずしも入力し続ける必要はない。例えば、スイッチのチャタリングが収まる時間だけ、入力がハイレベルになれば有効となるようにしてもよい。
【００４１】
駆動指示信号１１１ａが有効となると、制御回路１１１は発振回路１０８へ発振指示信号１１１ｂをハイレベルとして出力する。さらに、駆動パターン読出回路１１０へ駆動パターン回路動作指示信号１１０ｃをハイレベルとして出力も行う。発振指示信号１１１ｂがハイレベルとなると、発振回路１０８は発振動作を開始しする。これにより、発振回路１０８は昇圧信号発生回路１０７へ昇圧基準信号１０８ａを、放電信号発生回路１０９へ放電基準信号１０８ｂを及び駆動パターン読出回路１１０へ読出回路基準クロック信号１０８ｃをそれぞれ与える。
【００４２】
本実施例では昇圧基準信号１０８ａ、放電基準信号１０８ｂ及び読出回路基準クロック１０８ｃは１つの信号としている。
【００４３】
駆動パターン回路動作指示信号１１０ｃを受け取った駆動パターン読出回路１１０は、外部より指定された駆動パターン指定信号１１０ａを取り込む。実施例では、駆動パターン指定信号１１０ａが駆動パターン１を指示する「１」が入力されたものとする。取り込んだ駆動パターン指定信号１１０ａより駆動パターン読出回路１１０は、該当する駆動パターンが駆動パターン複数記憶回路１１２のどのアドレスに記憶されているかデコードを行い、アドレス信号１１０ｂを複数記憶回路１１２に出力する。
【００４４】
駆動パターン１の場合、駆動パターンアドレス信号１１０ｂとして「ＡＤ１」が駆動パターン複数記憶回路１１２へ出力される。駆動パターンアドレス信号１１０ｂにより駆動パターン複数記憶回路１１２は該当するアドレスに記憶された駆動設定値を駆動パターン読出回路１１０へ出力する。
【００４５】
駆動パターンアドレス信号１１０ｂとして「ＡＤ１」が駆動パターン複数記憶回路１１２へ出力された場合、駆動設定値ＤＴ１が駆動パターン読出回路１１０により読み出される。読み出された駆動設定値は、昇圧周波数、昇圧デューティ、放電周波数、放電デューティ及び駆動時間値に分けられる。前記昇圧周波数と前記昇圧デューティは、昇圧信号指示値１１０ｃとして駆動パターン読出回路１１０から昇圧信号発生回路１０７に出力される。
【００４６】
また、前記放電周波数と前記放電デューティは、放電信号指示値１１０ｄとして駆動パターン読出回路１１０から放電信号発生回路１０９に出力される。駆動パターン１の駆動設定値ＤＴ１においては、昇圧信号指示値１１０ｃとして昇圧周波数ｆｕｐ１と昇圧デューティＤｕｐ１が昇圧信号発生回路１０７に出力され、放電信号指示値１１０ｄとして放電周波数ｆｄ１と放電デューティＤｄ１が放電信号発生回路１０９に出力される。
【００４７】
昇圧信号発生回路１０７は、昇圧基準信号１０８ａを使って昇圧信号指示値１１０ｃで与えられた昇圧周波数と昇圧デューティで昇圧信号１０７ａを発生させる。昇圧信号１０７ａにより、昇圧回路１０３は電源１０１に接続された昇圧素子１０２を駆動して、高電圧パルス１０３ａを発生させる。整流回路１０４が高電圧パルス１０３ａを整流することで、発光素子１０５が充電される。
【００４８】
放電信号発生回路１０９は、放電基準信号１０８ｂを使って放電信号指示値１１０ｄで与えられた放電周波数と放電デューティで放電信号１０９ａを発生させる。放電信号１０９ａにより放電回路１０６は、充電された発光素子１０５の放電を行う。発光素子１０５は、充放電を繰り返すことにより発光する。
【００４９】
駆動パターン１の駆動設定値ＤＴ１の場合、発光素子１０５は昇圧周波数ｆｕｐ１と昇圧デューティＤｕｐ１により充電される。一方、発光素子１０５は、放電周波数ｆｄ１と放電デューティＤｄ１により放電される。
【００５０】
発光素子１０５が充放電しているとき、すなわち駆動パターン読出回路１１０が昇圧信号指示値１１０ｃと放電信号指示値１１０ｄをそれぞれ昇圧信号発生回路１０７と放電信号発生回路１０９に出力しているとき、駆動パターン読出回路１１０は駆動設定値の中の出力時間値のカウントダウンを、読出回路基本クロック信号１０８ｃを基準として行う。
【００５１】
駆動パターン１の駆動設定値ＤＴ１の場合、出力時間値ｔ１をカウントダウンする。このカウントダウンの間は、昇圧周波数ｆｕｐ１、昇圧デューティＤｕｐ１で昇圧信号発生回路１０７が昇圧信号１０７ａを昇圧回路１０３に与え、放電周波数ｆｄ１、放電デューティＤｄ１で放電信号発生回路１０９が放電信号１０９ａを放電回路１０６に与えて発光素子１０５を充放電する。
【００５２】
駆動パターン読出回路１１０は、出力時間値のカウントダウンが終了したらアドレスをインクリメントし、駆動パターン複数記憶回路１１２から次の駆動設定値を読み込み、駆動設定値の出力時間値が「０」と等しくなるまで上述の動作を繰り返す。駆動パターン読出回路１１０が読み出した駆動設定値の出力時間値が「０」と等しくなったとき、駆動パターン読出回路１１０は制御回路１１１に駆動終了信号１１０ｅを出力する。
【００５３】
駆動終了信号１１０ｅを制御回路１１１が受けると、発振回路１０８に対して発振指示信号１１１ｂをローレベルにする。発振指示信号１１１ｂがローレベルになると、発振回路１０８は昇圧基準信号１０８ａ、放電基準信号１０８ｂ及び読出回路基準クロック信号１０８ｃを停止する。昇圧基準信号１０８ａ、放電基準信号１０８ｂ及び読出回路基準クロック信号１０８ｃが停止することにより、昇圧信号発生回路１０７、放電信号発生回路１０９及び駆動パターン読出回路１１０の動作が停止する。
【００５４】
駆動パターン１の場合、駆動設定値ＤＴ１からＤＴｎ−１まで切り替わっていくことで、昇圧信号指示値すなわち昇圧周波数、昇圧デューティ、放電信号指示値すなわち放電周波数、放電デューティ及び出力時間値が時系列的に変化する。また、駆動設定値ＤＴｎで出力時間値が「０」となっているため、駆動動作を停止する。
【００５５】
上述のようにすることによって、発光素子１０５の充放電をする昇圧クロック信号１０７ａと放電クロック信号１０９ａの周波数及びデューティ比を時系列的に変化させることができる、これにより、時系列的に発光輝度や色調を変化させることができる。例えば、昇圧クロック信号及び放電クロック信号の周波数を固定として昇圧クロック信号のデューティ比を変化させた場合、デューティ比が大きくなれば発光素子にかかる電圧が大きくなり、結果として発光素子の輝度が上がる。また、昇圧クロック信号の周波数、デューティ比を固定し、放電クロック信号の周波数を変化させた場合、発光素子にかかる電圧と周波数が変化する。その結果として、発光素子の輝度と発光色が変化する。
【００５６】
駆動パターン１の場合、駆動設定値ＤＴ１で昇圧周波数ｆｕｐ１を高く、昇圧デューティＤｕｐ１を小さく、放電周波数ｆｄ１も高く設定しているため、輝度を低く色調を青にしている。次の駆動設定値ＤＴ２では昇圧周波数ｆｕｐ２を低く、昇圧デューティを高く設定し、放電周波数ｆｄ２を低くしているので、輝度が高く色調が緑となっている。以後の駆動設定値で昇圧周波数、昇圧デューティ、放電周波数、放電デューティを徐々に低く変化させているため、輝度が徐々に下がり色調がより緑に変化していく。
【００５７】
本発明は、駆動パターン複数記憶回路に記憶された複数の駆動パターンの中から１つの駆動パターンを選択し、選択された１つの駆動パターンに複数記憶されている駆動設定値の昇圧クロック信号及び放電クロック信号それぞれの周波数及びデューティ比及び出力時間値を時系列的に読み出し、読み出した値により昇圧クロック信号及び放電クロック信号を読み出した出力時間値で出力することにより、連続的に発光素子の輝度及び色調を可変することができる。
【００５８】
【発明の効果】
本発明は、以上説明したような形態で実施され、以下に記載されたような効果を奏する。
【００５９】
ＥＬの発光面積の大きさにより、昇圧コイルのインダクタンスや抵抗値の定数変更を行うことや昇圧クロック信号及び放電クロック信号の周波数を変更することにより、発振回路を構成する水晶振動子、抵抗、コンデンサ等の特性値を調整する必要がなくなる。また、点灯時間を制御するため、外部から点灯を指示する信号を加え続ける必要がなくなる。
更に、さまざまな駆動パターンを複数持たせることにより、照明として表示内容に注目を引くために輝度を上下させたり、駆動周波数を変化させて発光色調を変化させることができるようになる。
【図面の簡単な説明】
【図１】本発明に係わる照明装置の機能ブロック図である。
【図２】本発明に係わる照明装置における駆動パターン複数記憶回路のデータ構成図である。
【図３】本発明に係わる照明装置における駆動パターン読出回路の動作フローチャートである。
【図４】本発明に係わる照明装置のタイミングチャートである。
【図５】従来のＥＬ発光素子を用いた照明装置の機能ブロック図である。
【図６】従来のＥＬ発光素子を用いた照明装置のタイミングチャートである。
【符号の説明】
１０１、５０１  電源
１０２、５０２  昇圧素子
１０３、５０３  昇圧回路
１０４、５０４  整流回路
１０５、５０５  発光素子（ＥＬ）
１０６、５０６  放電回路
１０７、５０７  昇圧信号発生回路
１０８、５０８  発振回路
１０９、５０９  放電信号発生回路
１１０          駆動パターン読出回路
１１１、５１１  制御回路
１１２          駆動パターン複数記憶回路
【図１】
0004681144.tif 000002
【図２】
0004681144.tif 000003
【図３】
0004681144.tif 000004
【図４】
0004681144.tif 000005
【図５】
0004681144.tif 000006
【図６】
0004681144.tif 000007